(57)【要約】      （修正有）【課題】少ない電力消費量で、生ゴミ等の悪臭の発生を抑え、ゴミ出し／ゴミ捨て作業に大きな負担が掛からないゴミ冷蔵収容装置の提供。【解決手段】生ゴミなど臭いを発生させるゴミ６の収容室１と、収容室に付設する冷却手段３を備え、ゴミを収容している間は冷却手段により収容室内を５℃前後に冷却して悪臭の発生を極力抑える。収納室の側壁１ａ，１ｂにシャッタ付き換気手段４、５を設け、収容室内にゴミを収容している間は、換気手段のシャッタを閉じて換気を行わず、ゴミ出しの時にはシャッタを開いて換気する。収容室内のゴミ集積領域の上方適所に空気吹出手段を設け、ゴミ集積領域をエアカーテンで遮蔽する。臭い検出手段１３を設け、その検出信号に基づいて空気清浄手段１２及び／又は換気手段の運転を自動制御する。【選択図】図１
2006213479.tif 000002
【特許請求の範囲】
【請求項１】
生ゴミ、空き缶、空き瓶など臭いを発生させるゴミを収容する収容室と、この収容室に付設した冷却手段とを備え、前記ゴミを収容している間は、前記冷却手段により収容室内を５℃前後に冷却してゴミを冷蔵状態に保持することを特徴とするゴミ冷蔵収容装置。
【請求項２】
前記収容室に空気清浄手段を備えたことを特徴とする請求項１に記載のゴミ冷蔵収容装置。
【請求項３】
前記収容室にシャッタ付き換気手段を設け、前記ゴミを収容している間は前記換気手段のシャッタを閉じておき、前記ゴミを前記収容室から出す時には、前記換気手段のシャッタを開いて換気することを特徴とする請求項１又は請求項２に記載のゴミ冷蔵収容装置。
【請求項４】
前記収容室内にゴミ集積領域を設けると共に、このゴミ集積領域の上方適所に空気吹出手段を設け、この空気吹出手段により前記ゴミ集積領域をエアカーテンで遮蔽することを特徴とする請求項１ないし請求項３いずれかに記載のゴミ冷蔵収容装置。
【請求項５】
前記収容室内に臭い検出手段を設置し、この臭い検出手段からの検出信号に基づいて前記空気清浄手段及び／又は換気手段の運転を自動制御する制御装置を備えることを特徴とする請求項１ないし請求項４いずれかに記載のゴミ冷蔵収容装置。
【発明の詳細な説明】
【技術分野】
【０００１】
本発明は、集合住宅や飲食店街における共同ゴミ集積所、又は超高層マンションの数フロア毎に設けられる共同ゴミ集積所で発生する悪臭が近隣周辺に拡散するのを阻止するようにしたゴミ冷蔵収容装置に関する。
【背景技術】
【０００２】
従来、集合住宅や飲食店街における共同ゴミ集積所は、生ゴミ、空き缶、空き瓶など臭いを発生させるゴミを薄い合成樹脂製のゴミ袋に入れて集積することが行われている。このようなゴミ集積所は、通常ゴミ袋が露出状態で放置される開放型であるため、カラスやネズミ、野良猫等が寄って来てゴミ袋を破り、袋内の生ゴミをあさることが多く見受けられる。ゴミ袋が破られると、生ゴミ等が周囲に散乱するばかりか、生ゴミ等から発生する悪臭が近隣周辺に拡散して迷惑を及ぼすことになる。
【０００３】
上記の開放型ゴミ集積所の欠点を防止するために、例えば網を被せてカラスやネズミ、野良猫等がゴミ袋を破らないように防護する対策が採られているが、必ずしも十分な効果を挙げているものとはいえない。又、特に集合住宅では、コンクリートやブロック等で囲った閉鎖型の共同ゴミ集積所を設けることで対処することが増加している。しかしながら、この場合にはいつでも生ゴミ等のゴミを出せるという利便性があるものの、いつでもゴミ集積所にゴミが存在するという事態を引き起こし、ゴミ集積所から悪臭が漏れ出て近隣周辺に悪影響を及ぼすことが無視できなくなっている。超高層マンションなどで数フロア毎に設けられた共同ゴミ集積所は、閉鎖型とはいっても管理がずさんである場合には悪臭が漏れ出て風向きによっては近隣周辺の住戸に流入するといった被害も出現している。この場合、ゴミ集積所の管理を適切に行って近隣周辺に対する臭気問題を解決しても、ゴミ集積所の内部には悪臭が滞留するため、ゴミを捨てに来た住人やゴミ出し作業者にとっては多大の迷惑を蒙るという問題があった。
【０００４】
このような問題を解決するために、ゴミ集積所に収容した生ゴミ等のゴミを冷凍することにより悪臭の発生を阻止するようにした技術が開発されている。例えば、特許文献１には、生ゴミ等のゴミの表面を凍結水膜で覆ってこの凍結水膜が解凍しないように保冷することで、ゴミの腐敗を抑えながら悪臭の発生を阻止し、ほぼ完全な防臭対策を達成するようにしたゴミ防臭保管方法及び装置が開示されている。
【特許文献１】特開平５―１８６５６号公報
【発明の開示】
【発明が解決しようとする課題】
【０００５】
上記従来の凍結水膜方式によると、冷却手段による凍結に伴って生ゴミ等はアイスパックされた状態になり、悪臭の発生を積極的に阻止することはできるが、凍結水膜を形成してアイスパック状態にするには、収容室内の温度を−１０℃程度に設定して冷凍運転を行わなければならず、且つアイスパック処理後は凍結水膜が解凍しないように−２℃程度で保冷運転を継続しなければならない。このため、電力消費量が多くなって経費が嵩む問題があり、又収容室内の温度が上記のように低温領域であり、生ゴミ等も表面が凍結水膜状態であるため、収容室からゴミ出しをする作業が厄介となり、ゴミ出し作業者にとっては負担が大きくなる。又、ゴミを捨てに来た人にとっても、収容室内が冷凍雰囲気のためにゴミ捨て作業の負担が大きくなる。
【０００６】
本発明は、上記従来技術における問題を解決するためになされたもので、少ない電力消費量により運転が可能で、生ゴミ等の悪臭の発生を抑えることができ、且つゴミ出し／ゴミ捨て作業に大きな負担が掛からないようにしたゴミ冷蔵収容装置を提供することを目的とする。
【課題を解決するための手段】
【０００７】
上記の目的を達成するための本発明の手段として、請求項１は、生ゴミ、空き缶、空き瓶など臭いを発生させるゴミを収容する収容室と、この収容室に付設した冷却手段とを備え、前記ゴミを収容している間は、前記冷却手段により収容室内を５℃前後に冷却してゴミを冷蔵状態に保持するゴミ冷蔵収容装置を特徴とする。
【０００８】
又、請求項２は、請求項１のゴミ冷蔵収容装置において、前記収容室に空気清浄手段を備えたことを特徴とする。
【０００９】
請求項３は、請求項１又は請求項２のゴミ冷蔵収容装置において、前記収容室にシャッタ付きの換気手段を設け、前記ゴミを収容している間は前記換気手段のシャッタを閉じておき、前記ゴミを前記収容室から出す時には、前記換気手段のシャッタを開いて換気することを特徴とする。
【００１０】
請求項４は、請求項１ないし請求項３いずれかのゴミ冷蔵収容装置において、前記収容室内にゴミ集積領域を設けると共に、このゴミ集積領域の上方適所に空気吹出手段を設け、この空気吹出手段により前記ゴミ集積領域をエアカーテンで遮蔽することを特徴とする。
【００１１】
請求項５は、請求項１ないし請求項４いずれかのゴミ冷蔵収容装置において、前記収容室内に臭い検出手段を設置し、この臭い検出手段からの検知信号に基づいて前記空気清浄手段及び／又は換気手段の運転を自動制御する制御装置を備えることを特徴とする。
【発明の効果】
【００１２】
上記請求項１に係る発明によれば、収容室内に生ゴミ等を収容している間は、冷却手段により収容室内を５℃前後に冷却するため、生ゴミ等を凍結させる上記従来例に比して悪臭の発生を阻止する効果は多少劣るけれども、生ゴミ等から発生する悪臭を極力抑えることができ、且つ冷却手段で使用する消費電力量が少なくて済む。又、収容室内の設定温度が５℃程度であって、上記従来例のように凍結雰囲気ではないことから、ゴミ出し／ゴミ捨て作業に大きな負担が掛かることはない。
【００１３】
上記請求項２に係る発明によれば、収容室は空気清浄手段を備えているため、必要に応じてこの空気清浄手段を作動させることで、収容室内にこもっている悪臭を除去して室内空気を清浄化することができる。このため、例えばゴミ出し作業時の直前又は作業中に空気清浄手段を作動させることにより、ゴミ出し作業を消臭環境下で行うことができると共に、近隣周辺への悪臭の拡散を阻止することができる。又、悪臭を発生し始めている生ゴミ等を収容室内に捨てた場合には、空気清浄手段によりその悪臭を短時間で除去することができる。これにより、その後ゴミを捨てに来た人が収容室内の悪臭に悩まされることがなくなる。
【００１４】
上記請求項３に係る発明によれば、収容室にシャッタ付きの換気手段を設け、ゴミを収容している間はこの換気手段のシャッタを閉じておき、収容室からの排気は一切行わないので、近隣周辺に対する悪臭問題を解決することができる。ゴミ出し時には換気手段のシャッタを開いて換気するが、上記のようにゴミ出し作業時の直前又は作業中に空気清浄手段を作動させて脱臭すれば、近隣周辺へ悪臭を拡散することなくゴミ出し作業を行うことができる。これにより、ゴミ出し作業時の作業環境を更に良好にすることが可能となる。
【００１５】
上記請求項４に係る発明によれば、収容室内にゴミ集積領域を設けると共にこのゴミ集積領域の上方適所に空気吹出手段を設け、この空気吹出手段によりゴミ集積領域をエアカーテンで遮蔽するので、例え悪臭が発生したとしてもゴミ集積領域に閉じ込めることができ、ゴミを捨てに来た人に対して不愉快な思いをさせることがない。
【００１６】
上記請求項５に係る発明によれば、収容室内に臭い検出手段を設置し、この臭い検出手段からの検知信号に基づいて前記空気清浄手段及び／又は換気手段の運転を自動制御する制御装置を備えるので、収容室内で発生する臭いの強弱によって必要な機器を適正に自動運転することが可能となる。これにより、ゴミ出し時の作業環境を良好に整えると共に、機器類の運転に要する消費電力量を最小限に抑えることができる。
【発明を実施するための最良の形態】
【００１７】
次に、本発明の実施形態について添付図面を参照しながら説明する。
図１は、本発明に係るゴミ冷蔵収容装置の一実施形態を示す平側概略縦断面図であり、図２は同じく妻側概略縦断面図である。
【００１８】
図１において、１は生ゴミ、空き缶、空き瓶等の臭いを発生させるゴミを冷蔵収容するための適宜の内容積を有する収容室であり、悪臭が外部に漏れないようにコンクリートやコンクリートブロック等で全体を密閉構造に形成し、壁の一部には開閉扉２が取り付けられている。この閉鎖型の収容室１は、例えば集合住宅や飲食店街の共同ゴミ集積所又は超高層マンションにおいて数フロア毎に設置される共同ゴミ集積所として設けられる。
【００１９】
３は収容室１に付設された冷却手段であり、収容室１の壁１ａの内面上部に取り付けられた室内機３ａと、壁１ａの外面下部に設置された室外機３ｂとから構成される。この冷却手段３としては、例えば冷房専用ヒートポンプエアコンや、一般の冷凍サイクルを用いた冷房機を使用することができ、室内機３ａから収容室１内に冷気を供給する。
【００２０】
４、５は収納室１の壁に設けられたシャッタ付き換気手段であり、収容室１の対向壁に位置付けて配設されており、これら換気手段４、５はいずれも収容室１内に生ゴミ等のゴミ６が収容されている間はシャッタが閉じられ、収容室１からゴミ６を出す時のみシャッタを開いて換気するように構成されている。これらの換気手段４、５としては、外部の風圧によって逆回転せずに確実に排気できる有圧換気扇を用いることが好ましいが、一般の換気扇を用いることもできる。この場合は、ゴミ６に近接して一方の壁１ａの中間部よりやや下方位置に設けられている換気手段４は一般の換気扇であり、他方の壁１ｂの上部に設けられている換気手段５は有圧換気扇である。又、双方の換気手段４、５は連動して同時に作動し、且つそれぞれのシャッタの開閉も連動して同時に開閉するように構成されている。
【００２１】
前記収容室１の内部は、図２に示すように通路領域７が中央部に適宜の幅Ｄをもって前記他方の壁１ｂ側から一方の壁１ａ側に向けて直線状に設けられ、この通路領域７の壁１ｂ側の端部は前記開閉扉２に通じている。これにより、開閉扉２から収容室１内に入ると、通路領域７に沿って歩くことができる。又、収納室１の対向壁１ｃ、１ｄには棚部８、９がそれぞれ通路領域７側に水平に張り出して設けられ、これらの棚部８、９を境とする上下の領域が、上下２段のゴミ集積領域１０、１１として通路領域７を挟んで両側に設けられている。尚、前記冷却手段３の室内機３ａは通路領域７の終端の上方部に位置し、前記換気手段４は通路領域７の終端の中央よりやや下方部に位置し、換気手段５は通路領域７の始端の上方部に位置している。上記ゴミ集積領域１０、１１は上下２段に限定されず、例えば３段以上にし或は棚部８、９を設けないで実施することも可能であり、又鉛直方向に取り付けた複数の仕切板（図略）により仕切ってそれぞれ横に並設する構成にしても良い。
【００２２】
１２は空気清浄手段であり、図２のように上記上下２段のゴミ集積領域１０、１１の上部に位置させて、収容室１の壁１ｃ、１ｄにそれぞれ取り付けられている。これら複数の空気清浄手段１２としては、例えば通風機能を備えた脱臭機を用いることができ、活性炭等の多孔質で吸着性の強い吸着剤を用いるものが好ましい。これにより、各ゴミ集積領域１０、１１において、生ゴミ等のゴミ６から発生する悪臭を吸着して除去することができる。
【００２３】
図１において、１３は収容室１内の適所に配置された臭い検出手段であり、この臭い検出手段１３は臭気感知センサを備えており、収容室１内の悪臭を検出すると共にその検出信号を自動制御装置１４に入力できるように構成されている。そして、自動制御装置１４は、臭い検出手段１３からの検出信号に基づいて、前記空気清浄手段１２及び／又は換気手段４、５の運転を自動制御する。この自動制御装置１４は、収容室１の外部に取り付ける場合に限らず、収容室１内の例えば上壁内面に取り付けることで、必要な配線類を収容室１内に配設することが可能である。
【００２４】
図２において、１５は空気吹出手段であり、前記ゴミ集積領域１０、１１における通路領域７側の上端部にそれぞれ取り付けられ、空気を吹き出すことで通路領域７側にエアカーテンを形成し、これによりゴミ集積領域１０、１１をそれぞれ遮蔽する。空気吹出手段１５としては、例えば強力ファンを用いることができ、その吹出口は広幅で通路領域７に沿ってほぼ収納室１の壁１ａ、１ｂ間の長さを備えたものに構成する。この場合、１台のファンに限らず、複数のファンを一定の間隔をあけて配設することで、ゴミ集積領域１０、１１をそれぞれ遮蔽するエアカーテンを合成するように構成することも可能である。
【００２５】
上記のように構成された本発明に係るゴミ冷蔵収容装置は、前記冷却手段３を駆動して収容室１内に冷気を供給し、収容室１内の温度を５℃前後（３℃〜７℃）に冷却する。収容室１内を５℃前後に冷却すれば、従来において氷点下（−１０℃〜−２℃）に冷却してアイスパックする場合に比して生ゴミ等から発生する悪臭をほぼ完全に阻止することはできないが、生ゴミ等のゴミから発生する悪臭を極力抑えることができる。これにより、冷却手段３で使用する消費電力量は従来のものに比して少なくて済む。
【００２６】
このゴミ冷蔵収容装置の利用者は、前記開閉扉２を開けて収容室１内に入り、通路領域７を歩いて適当なゴミ集積領域１０、１１を選択して、生ゴミ等のゴミ６を捨てることになるが、上記のように収容室１内の温度は５℃前後に保持されており、従来のように凍結雰囲気ではないためゴミ捨て作業に大きな負担が掛かることはない。又、各ゴミ集積領域１０、１１は前記空気吹出手段１５によるエアカーテンにより遮蔽されているため、ゴミ集積領域１０、１１の内部で悪臭が生じていても、その悪臭を直接嗅がずに済む。又、エアカーテンを通してゴミ集積領域１０、１１の内部が透けて見えるため、ゴミ捨てすべきゴミ集積領域１０、１１を容易に選択することができ、且つエアカーテンに向かってゴミ６を投入すれば、エアカーテンに手を触れることなく容易にゴミ集積領域１０、１１内に捨てることができる。臭いを発生させるゴミ６は、悪臭を極力抑えるために所定の薄い合成樹脂製のゴミ袋に入れて捨てるようにすることが望ましい。
【００２７】
前記のように換気手段４、５はいずれも収容室１内に生ゴミ等のゴミ６が収容されている間はシャッタが閉じられており、前記開閉扉２も平時閉じられているため、収容室１内に悪臭がこもっていたとしても、収容室１から外部に漏れ出ることはない。開閉扉２の隙間から悪臭が漏れ出ないように、図示は省略したがシール材を介在させる等の手段によりドア枠に対する開閉扉２の密閉性を高めることが望ましい。これにより、収容室１の近隣周辺に対して悪臭による迷惑を掛けることがなくなる。超高層マンションの数フロア毎に収容室１が設けられている場合であっても、風向き等によって収容室１の近隣周辺の住戸に悪臭が侵入するといった不都合を阻止することができる。又、ゴミ収容中はシャッタを閉じて収容室１内を換気しないため、収容室１内の冷気の放散を防ぐことができ、結果として前記冷却手段３により比較的容易に収容室１内を５℃前後の冷蔵状態に保持することができる。
【００２８】
ゴミ収容中における収容室１内の悪臭の度合い（濃度）は、前記臭い検出手段１３の臭気感知センサにより検出される。この検出信号は前記自動制御装置１４に入力され、悪臭の度合いが予め設定して記憶させてある設定値を超えた時には、自動制御装置１４から前記空気清浄手段１２に出力信号を出して空気清浄手段１２を作動させる。これにより、空気清浄手段１２は収容室１内の悪臭を吸い込むと共に吸着剤により吸着し、収容室１内の悪臭の度合いを減少させる。そして、臭い検出手段１３からの検出信号に基づいて、収容室１内の悪臭の度合いが前記設定値以下になった時には、自動制御装置１４からの停止信号によって空気清浄手段１２の作動を停止する。従って、空気清浄手段１２は必要とする時のみ作動するため、空気清浄手段１２で使用する消費電力量を最小限に抑えることができる。又、一般の脱臭機とは異なって常時連続状態で脱臭するものではないから吸着剤が長持ちし、その交換回数を減少させることができて経済的である。尚、前記設定値を無臭状態に近い値に設定する場合には、収容室１内の悪臭が殆どない状態が得られるため、各ゴミ集積領域１０、１１をエアカーテンで遮蔽するための空気吹出手段１５を設けないで実施することが可能となる。
【００２９】
次に、収容室１内からゴミ出しする時の状況について説明する。ゴミ出しする時には、通常、前記開閉扉２を開放状態にするため、収容室１内に悪臭が溜まっている場合には外部に放散してしまう。このため、ゴミ出し作業時の直前又は作業中に空気清浄手段１２を作動させて収容室１内の悪臭を除去することが望ましい。但し、ゴミ出し作業時の直前において、収容室１内の悪臭の度合いが前記設定値以下になっている場合には、空気清浄手段１２を作動させなくても良い。これにより、ゴミ出し時の作業環境を良好にすることで、ゴミ出し作業者の負担を軽減することができる。
【００３０】
又、ゴミ出し作業中においては、前記換気手段４、５のシャッタをそれぞれ開いて収容室１内を換気することが、ゴミ出し時の作業環境を更に良好にする上で望ましい。この場合、前記臭い検出手段１３による検出信号に基づき、設定値以下の時に前記自動制御装置１４から換気手段４、５に出力信号を出して連動するように構成する。換気手段４、５が作動すると、それぞれシャッタを開き換気扇が回転して収容室１内の空気を排気する。このようにして、ゴミ出し時には換気手段４、５のシャッタを開いて換気するが、上記のようにゴミ出し作業時の直前又は作業中に空気清浄手段１２を作動させて脱臭すれば、近隣周辺へ悪臭を放散することなく換気を行うことができる。又、換気手段４、５はいずれも通路領域７に臨んで位置しているため、収容室１内の排気を効率良く行うことができ、前記のように換気手段５は有圧換気扇であるため、外部の風圧に影響されずに力強く且つ確実に排気することができる。
【００３１】
更に、ゴミ出し作業中においては、前記複数の空気吹出手段１５を停止させてエアカーテンによるゴミ集積領域１０、１１の遮蔽を解除する。これにより、各ゴミ集積領域１０、１１からのゴミ６の搬出作業をし易くすると共に、空気吹出手段１５で使用する消費電力量を減少させることができる。
【００３２】
上記実施形態におけるゴミ冷蔵収容装置は、照明手段についての説明は省略したが、夜間等において収容室１の内部を照明するために、例えば蛍光灯などの照明器具を収容室１の上壁又は側壁内面の要所に設置し、開閉扉２の近辺にスイッチを配置すると良い。
【産業上の利用可能性】
【００３３】
本発明に係るゴミ冷蔵収容装置は、集合住宅や飲食店街等における共同ゴミ集積所又は超高層マンションにおける数フロア毎に設けられる共同ゴミ集積所として好適に利用することができる。
【図面の簡単な説明】
【００３４】
【図１】本発明に係るゴミ冷蔵収容装置の一実施形態を示す平側概略縦断面図である。
【図２】同、妻側概略縦断面図である。
【符号の説明】
【００３５】
１  収容室
２  開閉扉
３  冷却手段
３ａ  室内機
３ｂ  室外機
４、５  シャッタ付き換気手段
６  ゴミ
７  通路領域
８、９  棚部
１０、１１  ゴミ集積領域
１２  空気清浄手段
１３  臭い検出手段
１４  自動制御装置
１５  空気吹出手段
【図１】
2006213479.tif 000003
【図２】
2006213479.tif 000004